(57)【要約】【課題】従来のカメラ付き携帯機器では撮影者自身が被写体場合の撮影エリアを確認するための鏡の位置とカメラのレンズ位置が離れており、鏡に写る映像とカメラの撮影画像の位置が異なっていた。このため、撮影者が求める撮影画像（エリア）の調整が困難であった。【解決手段】カメラウィンドウが鏡の機能を有するため、カメラと同位置に鏡を配置することが可能となり、鏡に映る映像とカメラの撮影画像の位置ずれをなくすことが可能となる。このため、撮影者が求める撮影画像（エリア）の調整が従来よりも容易にできる。【選択図】      図１
2004241888.tif 000002
【特許請求の範囲】
【請求項１】
カメラを内蔵した携帯機器であって、
前記カメラの撮像光入射面にウィンドウを備え、
前記ウィンドウは前記入射光の強度の一部を反射し一部を透過する半透鏡である、
ことを特徴とするカメラ付携帯機器。
【請求項２】
前記ウィンドウは着脱可能である、
ことを特徴とする請求項１に記載のカメラ付携帯機器。
【請求項３】
前記ウィンドウは少なくとも前記カメラの被写体側に凸の曲面を有する、
ことを特徴とする請求項１または２いずれかに記載のカメラ付携帯機器。
【請求項４】
前記曲面の頂点に立てた法線と前記カメラの中心光軸とは一致する、
ことを特徴とする請求項３に記載のカメラ付携帯機器。
【請求項５】
前記曲面は球面である、
ことを特徴とする請求項３に記載のカメラ付携帯機器。
【請求項６】
前記ウィンドウは球殻構造である、
ことを特徴とする請求項５に記載のカメラ付携帯機器。
【請求項７】
前記球面の曲率は前記カメラ付き携帯機器によって撮像者が前記撮像者を含めた画像を撮像するとき、
前記ウィンドウの前記球面からの反射像に含まれる前記撮像者の像の前記撮像者によって視認される大きさと、前記カメラによって撮像された画面の大きさとが所定の比率になるように定められている、
ことを特徴とする請求項５に記載のカメラ付携帯機器。
【請求項８】
前記ウィンドウの基材は透明樹脂である、
ことを特徴とする請求項１または２いずれかに記載のカメラ付携帯機器。
【請求項９】
前記半透鏡は前記ウィンドウ面に薄膜を成膜することによって形成されている、
ことを特徴とする請求項１に記載のカメラ付携帯機器。
【請求項１０】
前記半透鏡は前記ウィンドウ面に前記入射光の強度の一部を反射し一部を透過する半透フィルムを貼付することによって形成されている、ことを特徴とする請求項１に記載のカメラ付携帯機器。
【請求項１１】
前記カメラ付き携帯機器はカメラ付き携帯電話である、
ことを特徴とする請求項１から１０いずれかに記載のカメラ付携帯機器。
【請求項１２】
前記カメラ付き携帯機器はデジタルカメラである、
ことを特徴とする請求項１から１０いずれかに記載のカメラ付携帯機器。
【発明の詳細な説明】
【０００１】
【発明の属する技術分野】
本発明は、カメラの前面に設けられ、撮影時の操作性および携帯電話の生産性を向上させる特有のカメラウィンドウを備えたカメラ付携帯機器に関する。
【０００２】
【従来の技術】
携帯情報端末の普及とその技術改良はめざましい。特に携帯電話は、通話機能やメール等のデータ通信の機能のみならず撮像カメラを有し、画像の通信機能を備えることが通常となっている。
カメラ付き携帯電話による撮像は、携帯電話が備えるディスプレイに映し出される画像を見ながら撮影者が撮影対象やエリアを確定する場合は通常のデジタルカメラと同じであって操作性になんら問題はない。
【０００３】
撮影者自体を含めた撮像を行う場合には、従来の携帯電話では操作性に難点がある。図５に従来のカメラ付き折畳み型携帯電話の折畳み時の外観（図５（Ａ））と、カメラ１の前面に位置するカメラウィンドウ１０と鏡１１の中心Ａ−Ａを通る線分Ａ−Ａにおける断面（図５（Ｂ））の構造を示す。カメラウィンドウ１０は透明であり表面は平面である。一方被写体を映す鏡１１は被写体に対して凸面を有している。撮影者は鏡に映る像を見ながら携帯電話の被写体に対する位置や角度を操作して画像の取込を行う。
しかしながら従来の携帯電話では撮影者自身が被写体場合の撮影エリアを確認するための鏡１１の位置とカメラ１の取り付け位置が離れており、鏡１１に写る映像Ｌ１とカメラ１の撮影画像Ｄ１の位置が異なっていた。このため、撮影者が求める撮影画像（エリア）の調整が困難であった。
【０００４】
撮影者自身を含む被写体の撮影操作を容易にするために、カメラボディー前面の撮像レンズ上部に並置してミラーファインダを配設したカメラがある（例えば特許文献１参照）。しかしながら撮像レンズとミラーファインダの位置が異なることによる、操作性の不具合は改善されていない。
【０００５】
また、携帯機器の製造の観点からは、従来のカメラ付き携帯機器では、カメラウィンドウ１０は透明でありこれを通して内部が見えるため、カメラ１のキズ等機能上問題ないけれども外観上に不具合がある場合には、組み立て時に当該部品を排除しなければならず、製造コスト削減の障害となっている。
【０００６】
【特許文献１】
特開２００１−１４２１３０号公報（第５−９頁、図２）
【０００７】
【発明が解決しようとする課題】
本発明は従来のカメラ付き携帯機器の有する難点に鑑みて成されたものであって、その目的とするところは、カメラレンズの前面に設けられ、撮影時の操作性および携帯機器の生産性を向上させるカメラウィンドウを有するカメラ付携帯機器を提供することにある。
【０００８】
【課題を解決するための手段】
上記課題を解決するために本発明のカメラ付携帯機器は、カメラを内蔵した携帯機器であって、カメラの撮像光入射面にウィンドウを備え、ウィンドウは入射光の強度の一部を反射し一部を透過する半透鏡であることを特徴とする。
ウィンドウは着脱可能である。
ウィンドウは少なくともカメラの被写体側に凸の曲面を有する。
曲面の頂点に立てた法線とカメラの中心光軸とは一致する。
曲面は球面である。
ウィンドウは球殻構造である。
球面の曲率はカメラ付き携帯機器によって撮像者が撮像者を含めた画像を撮像するとき、ウィンドウの球面からの反射像に含まれる撮像者の像の撮像者によって視認される大きさと、カメラによって撮像された画面の大きさとが所定の比率になるように定められている。
ウィンドウの基材は透明樹脂である。
半透鏡はウィンドウ面に薄膜を成膜することによって形成されている。
半透鏡はウィンドウ面に入射光の強度の一部を反射し一部を透過する半透フィルムを貼付することによって形成されている。
上記のカメラ付き携帯機器はカメラ付き携帯電話である。
上記のカメラ付き携帯機器はデジタルカメラである。
【０００９】
【発明の実施の形態】
本発明の実施の形態について図面を参照して説明する。
図１は、本発明の第１の実施形態のカメラ付き折畳み型携帯電話６の折畳み時の外観（図１（Ａ））と、カメラ１の前面に位置するカメラウィンドウ２の中心Ａ−Ａを通る断面（図１（Ｂ））の構造を示す。カメラ部の構成は、撮像レンズを備えたカメラ１とカメラ１を支持するフレーム３とカメラ１を保護するカメラウィンドウ２、フロントケース４、リアケース５で構成されている。
【００１０】
カメラウィンドウ２は、図２に示すように、鏡としての機能を有する半透膜による表面処理７が施されている。本発明のカメラウィンドウ２は表面（被写体に対向する面）が球面を含む曲面となっている。カメラウィンドウの素材は、硝子望ましくはＰＣ、アクリル等の透明樹脂８であり、その表面には半透明の、鏡としての機能も有する表面処理７が蒸着、メッキ或いはフィルム等の貼付によって施されている。
【００１１】
図３に示すように、撮影者自身を含む撮影を行う場合、曲面ミラーの働きを成すカメラウィンドウ２によって、撮影者は被写体の正立した縮小像を視認することができ、同時に被写体の映像はカメラウィンドウ２を通してカメラ１により取り込むことができる。カメラウィンドウ２の透過光軸の中心と反射光軸の中心が一致しており、視認した被写体の反射像の中心とカメラによって取り込まれた画像の中心とは常に一致しているため、従来よりも正確にしかも容易に撮影エリアを決定することができる。
なお、カメラウィンドウ２の曲面形状は、例えば球面の場合その曲率は、カメラウィンドウ２に映る反射映像とカメラ１の撮影画像の大きさの関係を考慮したものとなっている。
また、図２において、カメラウィンドウの断面形状は比較的厚い蒲鉾形状に描いてあるが、厚さが厚い場合には、カメラの結像光学設計や調整は、カメラウィンドウの屈折特性を考慮して行う必要がある。厚さを十分に薄くすることによってこの工程は省くことができる。
【００１２】
次に本発明の第２の実施形態について説明する。
上述の実施例ではカメラ付携帯電話を例に説明したが、ここではカメラ（デジタルカメラ等）での実施例を示す。図５はカメラ１２およびレンズ１３の保護のためのレンズカバー１４を示している。このレンズカバー１４の被写体と対向する表面には、第１の実施形態にて説明したと同様の表面処理１５が施されており、また曲面形状となっている。材質や表面処理等は、第１の実施形態で説明したのと同様である。また、この曲面形状は例えば球面の場合その曲率はレンズカバー１４に映る映像とカメラ１２の撮影画像の大きさの関係を考慮したものとなっている。
これにより、画像内に撮影者自身を含む撮影を行う際には、レンズカバー１４を取り付けて状態において上述した実施例と同様の効果を得ることができる。また、カメラを撮影者自身を含まない被写体に向け、撮影者はディスプレイやファインダを見ながら撮影する場合には、レンズカバーを外しレンズへの入射光量を高めて撮影を行うことができ、着脱が自由である。
また、レンズカバー１４を薄肉の構造とすることによって、カメラ本体の改造をせず既存のカメラに着装して用いることが可能である。
本実施形態は、カメラ付き携帯電話に適用しても同様の効果が得られることは言うまでもない。
【００１３】
【発明の効果】
以上説明したように、本発明のカメラ付き携帯機器は、以下のような効果を奏する。
第一の効果として、従来は図５に示すように被写体（撮影者９）の撮影エリアを確認するための鏡１１とカメラ１の取り付け位置が異なっており、鏡１１に写る映像Ｌ１とカメラ１の撮影画像Ｄ１の位置が異なっていた。このため、撮影者が求める撮影画像（エリア）の調整が困難であった。
本発明はカメラウィンドウ２が鏡の機能を有するため、カメラ１と同位置に鏡を配置することが可能となり、鏡に映る映像Ｌ２とカメラの撮影画像Ｄ２の位置ずれをなくすことが可能となる。このため、撮影者９が求める撮影画像（エリア）の調整が従来よりも容易にできる。
第２の効果として、従来はカメラウィンドウ１０表面（被写体と対向する面）側から内部構成物（カメラ１、フレーム３等）が見えるため、外観不具合品（カメラ１のキズ等）を排除する必要があった。
本発明のカメラウィンドウ２は表面側からは内部が見え難い表面処理が施されているため、内部構成物で機能上問題のない外観不具合品を使用でき、従来の機能を阻害することなく内部構成部品の検査工数の低減、歩留まり向上が可能となる。
第３の効果として、従来はカメラウィンドウ１０と鏡１１の２部品で構成されているが、本発明は同様の機能をカメラウィンドウ２の１部品で構成可能であるため、部品点数を削減できる。
これにより、部品管理工数の低減、組立工数の低減、また、デザインの自由度を向上させることが可能である。
【図面の簡単な説明】
【図１】本発明の第１の実施形態のカメラウィンドウを有するカメラ付き携帯機器の構成を示す図である。
【図２】カメラウィンドウの構造の一例を示す図である。
【図３】本発明のカメラ付き携帯機器を用いた撮影一場面を示す図である。
【図４】本発明の第２の実施形態のレンズカバーを有するカメラ付き携帯機器の構成を示す図である。
【図５】従来のカメラ付き携帯機器の構成を示す図である。
【符号の説明】
１    カメラ
２    カメラウィンドウ
３    フレーム
４    フロントケース
５    リアケース
６    カメラ付き折畳み型携帯電話
７    表面処理
８    透明樹脂
１０    カメラウィンドウ
１１    鏡
１２    カメラ
１３    レンズ
１４    レンズカバー
【図１】
2004241888.tif 000003
【図２】
2004241888.tif 000004
【図３】
2004241888.tif 000005
【図４】
2004241888.tif 000006
【図５】
2004241888.tif 000007